(57)【要約】【課題】引き戸の下枠に溜まる汚れを容易に除去できる浴室用ドアを提供することを目的とする。【解決手段】引き戸１０を使用する浴室用ドア枠構造において、下枠９の凹陥溝９ａの略中央部に設置したレールジョイナー１２を介して着脱自在に下枠レール１１設置し、下枠レール１１の両側部に突設するフランジ１１ａを備え、フランジ１１ａの下面と凹陥溝９ａの底面間に隙間１３を設けることにより、浴室からの汚れ、ごみ等が浴室ドアの下枠９に流入してきても下枠レール１１のフランジ１１ａに付着するため、下枠レール１１を取り外しフランジ１１ａを清掃するだけで良く、使用者にお手入れが簡便で安心感のある浴室用ドアの提供が可能となる。【選択図】図１
2006063621.tif 000002
【特許請求の範囲】
【請求項１】
引き戸を使用する浴室用ドア枠構造において、下枠の凹陥溝の略中央部に設置したレールジョイナーを介して着脱自在に下枠レール設置し、下枠レールの両側部に突設するフランジを備え、フランジの下面と凹陥溝の底面間に隙間を設けた浴室用ドア。
【請求項２】
フランジの先端が引き戸の表面より突出した構成の請求項1に記載の浴室用ドア。
【請求項３】
フランジに網目部を備えた請求項1または２に記載の浴室用ドア。
【請求項４】
フランジの先端部を上方へ折り曲げた請求項１〜３のいずれか１項に記載の浴室用ドア。
【発明の詳細な説明】
【技術分野】
【０００１】
本発明は引き戸タイプの浴室用ドアのドア枠構造に関するものである。
【背景技術】
【０００２】
従来、この種の浴室用ドアは、浴室出入り口の洗い場防水パン上に取り付けられており、複数の略コ字形状の条部材を所定の間隔を設けて配設し、条部材の上面を走行用ローラの走行面として使用し、条部材間の間隙を走行ガイド片の案内溝として使用することにより、引き戸の開閉用レールとして使用しており、洗い場で使用する水や汚れは条部材間の間隙を通って防水パン上に流下する構成となっている（例えば、特許文献１参照）。
【０００３】
図７は、特許文献１に記載された従来の浴室のドア部構造を示すものであり、図７に示すように、洗い場防水パン１と、複数の条部材２と、条部材間に形成される間隙３と、引き戸４と、走行ローラ５と、走行ガイド片６から構成されている。
【特許文献１】特開２００３−２０８０５号公報
【発明の開示】
【発明が解決しようとする課題】
【０００４】
しかしながら、前記従来の構成では、扉の摺動部を案内する条部材は略コ字状の形状を有して洗い場防水パンに固定されており、扉使用時に発生するごみ等が条部材間の間隙に落ちて溜まった場合は先の細いブラシ等で隙間を掃除してもごみが除去しきれないという問題を有していた。
【０００５】
本発明は、前記従来の課題を解決するもので、ドアの下枠に溜まる汚れを容易に除去することが可能な下枠レールの実現により使い勝手の良い浴室ドアを提供することを目的とする。
【課題を解決するための手段】
【０００６】
前記従来の課題を解決するために本発明の浴室ドアは、引き戸を使用する浴室用ドア枠構造において、下枠の凹陥溝の略中央部に設置したレールジョイナーを介して着脱自在に下枠レール設置し、下枠レールの両側部に突設するフランジを備え、フランジの下面と凹陥溝の底面間に隙間を設けた構成している。
【０００７】
これによって、浴室ドアの下枠は、浴室からの汚れ、ごみ等が浴室ドアの下枠に流入してきても、下枠レールのフランジ部に付着するため下枠レールを取り外しフランジを清掃するだけで良く、清掃作業の簡便化、効率化が可能となる。また、フランジの下面と下枠の凹陥溝の底面間にを設けてあるため、排水のほとんどはその隙間を流れフランジ部にて隠蔽され、排水が直接見えにくくなり使用者の安心感を増加させる。
【発明の効果】
【０００８】
本発明の浴室ドアは、フランジを備えた着脱自在な下枠レ-ルで構成されているため、汚れが下枠レールのフランジに付着し下枠の底部に汚れが溜まりにくいため、清掃作業の簡便化、効率化が図れ、使用時に快適で使い勝手がよくメンテナンス性の優れた浴室空間を提供することができる。
【発明を実施するための最良の形態】
【０００９】
第１の発明は、引き戸を使用する浴室用ドア枠構造において、下枠の凹陥溝の略中央部に設置したレールジョイナーを介して着脱自在に下枠レール設置し、下枠レールの両側部に突設するフランジを備え、フランジの下面と凹陥溝の底面間に隙間を設けることにより、浴室ドアの下枠は、浴室からの汚れ、ごみ等が浴室ドアの下枠に流入してきても、下枠レールのフランジに付着するため下枠レールを取り外しフランジ部を清掃するだけで良く、清掃作業の簡便化、効率化が可能となる。また浴室内から浴室ドアの下枠に流入する水は、フランジの下面と凹陥溝の底面間に設けた隙間から流れるため、フランジ部で隠蔽されるため目立ちにくく、使用者にお手入れが簡便で安心感のある浴室ドアを提供することができる。
【００１０】
第２の発明は、特に、第１の発明のフランジの先端が引き戸の表面より突出した構成とすることにより、浴室内からの汚れがフランジ部に溜まり下枠自体の汚れ付着が減少し更なる清掃性の良好な浴室ドアを提供することができる。
【００１１】
第３の発明は、特に、第１または第２の発明のフランジに網目部を備えたことにより、流入する汚水の汚れは網目に付着させ、水は網目から排出することによりフランジ部を外した後の清掃性が向上し、下枠自体の汚れの付着が減少するとともにフランジ自体の清掃性がより向上する。
【００１２】
第４の発明は、フランジの先端部を上方に折り曲げることにより、流入する汚水の汚れをより逃がさずに収集することが可能となり、下枠自体の汚れ付着が減少し、清掃性がより向上する浴室ドアを提供することができる。
【００１３】
（実施の形態１）
図１、２は、本発明の第１の実施の形態における浴室用ドアのドア下枠部分の部分断面図を示すものである。
【００１４】
図１、２において、浴室の洗い場７と脱衣室の間に浴室用ドア８が取り付てある。浴室用ドア８は、下枠９と、引き戸１０と、左右にフランジ１１ａを備えた下枠レール１１と、レールジョイナー１２を主な構成部材としている。
【００１５】
下枠９はアルミの押し出し材で異形の断面形状に形成してあり、引き戸１０が設置される部分には凹陥溝９ａが形成してあり、凹陥溝９ａの略中央部の下枠レール１１の両端あるいは中央部に対応する位置には間隔をあけて複数個のレールジョイナー１２が設置してあり、下枠レール１１をレールジョイナー１２に着脱自在に設置できる構成となっている。
【００１６】
下枠レール１１はアルミの押し出し材で形成してあり、本体部は略コ字形状で、本体外部の両側部にはフランジ１１ａと、本体内部の両側部には突起部１１ｂが一体で形成してあり、レールジョイナー１２に設置した状態ではフランジ１１ａの下面と凹陥溝９ａの底面の間には所定の隙間１３発生する形状となっている。
【００１７】
レルジョイナー１２は樹脂の成形品で、その両側面には凹陥部１２ａが形成してあり、下枠９にはねじで固定してある。
【００１８】
下枠９の凹陥溝９ａ以外の部分には目皿１４が載置してあり、上面は全体的にフラットに構成してあり、洗い場７の表面と略同レベルになっている。
【００１９】
引き戸１０の下端部には摺動用のローラー１５が設置してあり、下枠レール１１の上面をスムーズに摺動できる構成としている。
【００２０】
下枠９の立ち面９ｂ、９ｃには通水用の開口部９ｄが設けてある。
【００２１】
以上のように構成された浴室ドアについて、以下その動作、作用を説明する。
【００２２】
まず、下枠９に取り付たレールジョイナー１２に、下枠レール１１を取り付ける場合、下枠レール１１の内部の突起部１１ｂがレールジョイナー１２の凹陥部１２ａに嵌まり込むことにより確実に固定する。
【００２３】
この形態において、浴室側からドア下枠側に汚水が流入してくると、汚水の汚れがフランジ部１１ａに付着し、水はフランジ１１ａと下枠９の間の隙間１３に流れ、下枠９の立ち面９ａ、９ｂの通水用の開口部９ｃを介して浴室側に排水される。下枠レール１１は着脱が自在なため、下枠９から取り外してフランジ１１ａに付着した汚れを容易に清掃することが可能である。
【００２４】
また、排水は下枠レール１１のフランジ１１ａの下側を主に流れるため、使用者に対して排水を隠蔽することとなり、使用者に手入れが簡便で安心感のある浴室ドアの提供が可能となる。
【００２５】
（実施の形態２）
図３は本発明の第２の実施の形態における浴室ユニットのドア下枠部部分の部分断面図を示すものである。
【００２６】
図３において、下枠レール１６はアルミの押し出し材で形成してあり、本体部は略コ字形状で、外部の両側部には一体に形成したフランジ１６ａの先端は引き戸１０の表面１０ａより突出する寸法関係であり、下枠レール１６の内部の両側部には突起部１６ｂが一体で形成してあり、レールジョイナー１２に設置した状態ではフランジ１６ａの下面と凹陥溝９ａの底面の間には所定の隙間１３発生する形状となっている。
【００２７】
なお、実施の形態１と同一符号のものは同一構造を有し、説明は省略する。
【００２８】
以上のように、本実施の形態においては、下枠レール１６のフランジ１６ａが引き戸１０の表面１０ａより突出しているため、浴室側からドア下枠側に汚水が流入してくる時、
フランジでの汚水による汚れの捕捉がより確実に行なえ、汚れの除去の効率が向上しより使用者にお手入れが簡便で安心感のある浴室ユニットの提供が可能となる。
【００２９】
（実施の形態３）
図４は本発明の第３の実施の形態における浴室ユニットのドア下枠部部分の部分断面図を、図５は同下枠レールの部分斜視図を示すものである。
【００３０】
図４、５において、下枠レール１７はアルミの押し出し材で形成してあり、本体部は略コ字形状で、外部の両側部には一体に形成したフランジ１７ａには網目部１７ｃを有しており、先端は引き戸１０の表面１０ａより突出する寸法関係であり、下枠レール１７の内部の両側部には突起部１７ｂが一体で形成してあり、レールジョイナー１２に設置した状態ではフランジ１７ａの下面と凹陥溝９ａの底面の間には所定の隙間１３発生する形状となっている。
【００３１】
なお、実施の形態１と同一符号のものは同一構造を有し、説明は省略する。
【００３２】
以上のように、本実施の形態においては、浴室側からドア下枠側に汚水が流入してくる時、下枠レール１７の両側にあるフランジ１７ａを通過するが、この時フランジ１７ａには網目部１７ｃが形成してあるため、汚水のごみ等の汚れは網目部１７ｃに引っ掛り、ごみ等が除去された汚水が排水されていく。このように、下枠レール１７を取り外し網目部１７ｃのを清掃するだけでごみ等の汚れの大部分が容易に除去でき、汚れの除去の効率が向上し、より使用者にお手入れが簡便で安心感のある浴室ユニットの提供が可能となる。
【００３３】
（実施の形態４）
図６は本発明の第４の実施の形態における浴室ユニットのドア下枠部部分の部分断面図を示すものである。
【００３４】
図６において、下枠レール１８はアルミの押し出し材で形成してあり、本体部は略コ字形状で、外部の両側部には一体に形成したフランジ１８ａの先端部１８ｃは上方に略直角に折り曲がっており、先端部１８ｃは引き戸１０の表面１０ａより突出する寸法関係であり、下枠レール１８の内部の両側部には突起部１８ｂが一体で形成してあり、レールジョイナー１２に設置した状態ではフランジ１８ａの下面と凹陥溝９ａの底面の間には所定の隙間１３発生する形状となっている。
【００３５】
なお、実施の形態１と同一符号のものは同一構造を有し、説明は省略する。
【００３６】
以上のように、本実施の形態においては、浴室側からドア下枠側に汚水が流入してくる時、下枠レール１８の両側にあるフランジ部１８ａの先端部１８ｃは略直角に曲がっているため、汚水のごみ等の汚れは先端部１８ｃにより、フランジ部１８ａに溜まり易くなる。
【００３７】
このため、汚れの除去が容易となり、汚れの除去の効率が向上し使用者にお手入れが簡便で安心感のある浴室ユニットの提供が可能となる。
【産業上の利用可能性】
【００３８】
以上のように、本発明にかかる浴室ドアは、汚れの掃除が容易に行なえるかつ見映えの良い浴室空間を提供することが可能となるので、洗面やシャワーの空間ユニット等のドアの用途にも適用できる。
【図面の簡単な説明】
【００３９】
【図１】本発明の実施の形態１における浴室ドアの部分断面図
【図２】本発明の実施の形態１における浴室ドアの要部詳細断面図
【図３】本発明の実施の形態２における浴室ドアの部分断面図
【図４】本発明の実施の形態３における浴室ドアの部分断面図
【図５】本発明の実施の形態３における下枠レール斜視図
【図６】本発明の実施の形態４における浴室ドアの部分断面図
【図７】従来の浴室ドアの部分断面図
【符号の説明】
【００４０】
８  浴室用ドア
９  下枠
９ａ  凹陥溝
１０  引き戸
１０ａ  表面
１１、１６、１７、１８  下枠レール
１１ａ、１６ａ、１７ａ、１８ａ  フランジ
１２  レールジョイナー
１３  隙間
１７ｃ  網目部
１８ｃ  先端部
【図１】
2006063621.tif 000003
【図２】
2006063621.tif 000004
【図３】
2006063621.tif 000005
【図４】
2006063621.tif 000006
【図５】
2006063621.tif 000007
【図６】
2006063621.tif 000008
【図７】
2006063621.tif 000009